(57)【要約】【課題】設置状況に合わせて、ユーザに定期的な煙検出部の掃除を促すことにより、ユーザに必要以上の手間をかけさせることなく、定期的な煙検出部の掃除を行ってもらって、特に壁面に取り付けたとしても煙の流入性の低下を防止して長時間にわたる正確な煙検出が可能になること。【解決手段】煙検出部が筐体の前面から突出して設けられる火災警報器において、前記火災警報器の設置面として天井面または壁面を設定する設置面設定スイッチと、前記煙検出部の掃除告知警報を行う掃除告知警報手段と、前記設置面設定スイッチの設定状態に基づいて、前記掃除告知手段の掃除告知警報の告知仕様を可変設定する制御手段と、を備えた。【選択図】図２
2009245260.tif 000002
【特許請求の範囲】
【請求項１】
煙検出部が筐体の前面から突出して設けられる火災警報器において、
前記火災警報器の設置面として天井面または壁面を設定する設置面設定スイッチと、
前記煙検出部の掃除告知警報を行う掃除告知警報手段と、
前記設置面設定スイッチの設定状態に基づいて、前記掃除告知手段の掃除告知警報の告知仕様を可変設定する制御手段と、を備えたことを特徴とする火災警報器。
【請求項２】
前記設置面設置スイッチは、前記火災警報器が天井面または壁面に取り付けられたことを自動検出することを特徴とする請求項１記載の火災警報器。
【請求項３】
前記制御手段は、前記設置面が壁面の設定の場合は、天井面の設定の場合よりも前記掃除告知警報の告知間隔を短くするか、または、前記設置面が壁面の設定の場合は、前記掃除告知警報を行う一方、天井面の設定の場合は前記掃除告知警報を行わない、ことを特徴とする請求項１または２のいずれかに記載の火災警報器。
【発明の詳細な説明】
【技術分野】
【０００１】
本発明は、煙検出部が筐体の前面から突出して設けられる火災警報器に関するものである。
【背景技術】
【０００２】
従来、煙検出部が筐体の前面から突出して設けられる火災警報器が知られている。煙検出部は、内部に検煙空間が設けられ、その周囲に設けられた煙流入口から検煙空間に流入した煙による発光素子からの光の散乱光を受光素子で受光し、受光出力が所定煙濃度以上を示す値になれば火災警報をするように構成されている（例えば、特許文献１、参照）。
【特許文献１】特開２００７‐２８６７９５号公報
【発明の開示】
【発明が解決しようとする課題】
【０００３】
上記のような火災警報器は天井面や壁面などの設置面に取り付けられて使用されるが、煙検出部が筐体の前面から突出して設けられる構成のため、特に壁面に取り付けて長時間使用すると、煙流入口の上部に埃等が堆積し、この埃によって煙検出部内への煙の流入性が低下してしまうという問題があった。これを防止するために、ユーザに定期的な煙検出部の掃除を促したいという要望があるが、ユーザに必要以上の手間をかけさせることなく、定期的な煙検出部の掃除を行ってもらった方がよい。
【０００４】
本発明は、前記問題点に鑑みてなされたものであり、その目的は、設置状況に合わせて、ユーザに定期的な煙検出部の掃除を促すことにより、ユーザに必要以上の手間をかけさせることなく、定期的な煙検出部の掃除を行ってもらって、特に壁面に取り付けたとしても煙の流入性の低下を防止して長時間にわたる正確な煙検出が可能になる火災警報器を提供することにある。
【課題を解決するための手段】
【０００５】
この発明は、煙検出部が筐体の前面から突出して設けられる火災警報器において、前記火災警報器の設置面として天井面または壁面を設定する設置面設定スイッチと、前記煙検出部の掃除告知警報を行う掃除告知警報手段と、前記設置面設定スイッチの設定状態に基づいて、前記掃除告知手段の掃除告知警報の告知仕様を可変設定する制御手段と、を備えたことを特徴とする。
【０００６】
また、前記設置面設置スイッチは、前記火災警報器が天井面または壁面に取り付けられたことを自動検出することを特徴とする。
【０００７】
また、前記制御手段は、前記設置面が壁面の設定の場合は、天井面の設定の場合よりも前記掃除告知警報の告知間隔を短くするか、または、前記設置面が壁面の設定の場合は、前記掃除告知警報を行う一方、天井面の設定の場合は前記掃除告知警報を行わない、ことを特徴とする。
【発明の効果】
【０００８】
本発明は、煙検出部が筐体の前面から突出して設けられる火災警報器において、前記火災警報器の設置面として天井面または壁面を設定する設置面設定スイッチと、前記煙検出部の掃除告知警報を行う掃除告知警報手段と、前記設置面設定スイッチの設定状態に基づいて、前記掃除告知手段の掃除告知警報の告知仕様を可変設定する制御手段と、を備えることによって、火災警報器が取り付けられる設置面に応じて、掃除警報告知手段の掃除告知警報の告知仕様を設定して、煙検出部の掃除告知警報を行わせることができる。具体的には、火災警報器を壁面に取り付ける際には、煙検出部の煙流入口に埃が堆積しやすく、一方、火災警報器を天井面に取り付ける際には、煙検出部の煙流入口に埃が堆積しにくい、という傾向があることから、取り付けられた設置面に応じて、例えば、掃除告知警報の頻度を異ならせることによって、設置状況に合わせて、ユーザに定期的な煙検出部の掃除を促すことにより、ユーザに必要以上の手間をかけさせることなく、定期的な煙検出部の掃除を行ってもらうことができる。これによって、ユーザに必要以上の手間をかけさせることなく、煙検出部の煙流入口に埃が堆積することを防止することが可能になるため、特に壁面に取り付けたとしても煙の流入性の低下を防止して長時間にわたる正確な煙検出が可能になる。
【０００９】
また、前記設置面設置スイッチは、前記火災警報器が天井面または壁面に取り付けられたことを自動検出することによって、ユーザが設置面の設定操作を行うことなく、火災警報器が取り付けられた設置面を自動的に検出して、この検出した設置面に応じて、掃除警報告知手段の掃除告知警報の告知仕様を設定して、煙検出部の掃除告知警報を行わせることができる。
【００１０】
また、前記制御手段は、前記設置面が壁面の設定の場合は、天井面の設定の場合よりも前記掃除告知警報の告知間隔を短くするか、または、前記設置面が壁面の設定の場合は、前記掃除告知警報を行う一方、天井面の設定の場合は前記掃除告知警報を行わない、ことによって、制御手段は、火災警報器が壁面に取り付けられている場合と天井面に取り付けられている場合とで、掃除告知警報の頻度を異ならせることが可能になるため、設置状況に合わせて、ユーザに定期的な煙検出部の掃除を行わせることができる。特に、火災警報器を壁面に取り付けた際には、頻繁に掃除告知警報を行うことが可能となる。
【発明を実施するための最良の形態】
【００１１】
以下に、本発明の第１実施例を図１〜図６を参照して詳細に説明する。図１は本発明の実施例１を示す火災警報器の正面図、図２は図１のＡ−Ａ断面図であり、火災警報器を壁面に取り付けた状態を示す図、図３は図１のＡ−Ａ断面図であり、火災警報器を天井面に取り付けた状態を示す図、図４は煙検出部の内部構造を示す図、図５は図１の火災警報器の構成を示すブロック図、図６は図５の火災警報器の動作を示すフローチャート、図７は図６の掃除告知判定処理の詳細を示すフローチャートである。
【００１２】
火災警報器は、警報器本体１と、天井面や壁面などの設置面Ｍに取り付けられて警報器本体１が着脱可能に装着される取付ベース２１と、によって筐体Ｋが構成されている。警報器本体１は、本体部２と、この本体部２に複数のねじ（図示せず）により一体に結合された保護カバー１１とからなっている。
【００１３】
取付ベース２１は、円板状の基板２２、基板２２の外周縁の本体部２側に設けられた周壁２３とからなり、周壁２３には本体部２との係合用の刃受部（図示せず）が設けられている。
【００１４】
本体部２は、円板状の基板３とその外周縁の背面側に立設された周壁４とからなり、周壁４には取付ベース２１との係合用の刃部（図示せず）が設けられている。
【００１５】
保護カバー１１は、中央を開口するリング状の前面壁１２と、その外周縁に設けられた周壁１３とからなり、内部には回路基板５が設置されている。回路基板５の前面には、煙検出部１６、音響部としてのスピーカ１７、音響停止スイッチ１８等が取り付けられて、煙検出部１６は前面壁１２の中央開口から突出して設けられている。また、前面壁１２の下部には、スピーカ１７および音響停止スイッチ１８に対応して、音響孔１４および音響停止スイッチ１８操作用の押し釦１５が設けられている。なお、押し釦１５は、詳細には説明しないが照光式であり、回路基板５には、音響停止スイッチ１８に隣接して表示灯５７（図５）が搭載されている。
【００１６】
回路基板５の背面側には、火災警報器が天井面または壁面のいずれに取り付けられているのかを設定する、例えばリードスイッチである設置面設定スイッチ６（以下、必要に応じてリードスイッチ６というときもある）が取り付けられている。また、保護カバー１１の周壁１３の内側には、傾斜壁３１と包囲壁３２とを有する漏斗部材３０が設けられている。傾斜壁３１は保護カバー１１の前面壁１２側に傾斜する略リング形状であり、また、包囲壁３２は傾斜壁３１の内周縁から保護カバー１１の前面壁１２側に延設された略筒形状であり、内側に設置面設定スイッチ６が設けられ、その高さは設置面設定スイッチ６の高さよりも若干高く形成されている。漏斗部材３０は、傾斜壁３１の外周側が保護カバー１１の周壁１３の内周に例えば当接し、また、包囲壁３２の先端側が回路基板５に例えば係合等によって取り付けられることによって、警報器本体１内に設置されている。そして、漏斗部材３０と本体部２の基板３および保護カバー１１の周壁１３との間に形成された空間Ｓ内には、漏斗部材３０の傾斜面３１上を摺動可能な略球状の磁石３５が設けられている。
【００１７】
ここで、火災警報器の設置面自動検出機構について説明する。図２に示すように、火災警報器を壁面に取り付けた状態では、磁石３５は漏斗部材３０の傾斜面３１上を外周方向（図２のＸ方向）に摺動することによって、保護カバー１１の周壁１３側に位置することになる。このように、リードスイッチ６から磁石３５が離れた場合には、接点６ａ（図５）が開いた状態となることによって、リードスイッチ６はオフ状態になる。一方、図３に示すように、火災警報器を天井面に取り付けた状態では、磁石３５は漏斗部材３０の傾斜面３１上を内周方向（図３のＹ方向）に摺動することによって、保護カバー１１の包囲壁３２上に位置することになる。このように、リードスイッチ６に磁石３５が近接した場合には、接点６ａ（図５）が閉じた状態となることによって、リードスイッチ６はオン状態になる。そして、このリードスイッチ６のオンオフ状態が、回路基板５に搭載された制御部５１（図５）によって判別されることによって、火災警報器の設置面を自動検出することが可能な機構となっている。つまり、設置面設定スイッチ６は、接点６ａのオン状態では、設置面Ｍとして天井面が設定された状態であり、一方、接点６ａのオフ状態では、設置面Ｍとして壁面が設定された状態である。なお、設置面を自動検出する設置面設定スイッチ６としてリードスイッチを用いているが、その他の自動検出するスイッチでもよく、また、ディップスイッチなどのユーザが手動で設定操作するスイッチでもよい。
【００１８】
煙検出部１６は、円筒状で内部に検煙空間Ａを有し、側面外周に煙流入口Ｂを備えている。図６に示すように、煙検出部１６の内部には発光素子４０と受光素子４１とが各々の光軸をずらして配置され、各々の光軸の交差点付近が検煙空間Ａを形成している。また、検煙空間Ａの周囲には略Ｊ字状のラビリンス部材４２が所定間隔を有して形成されて、ラビリンス部材４２間に煙流入口Ｂが形成されている。また、ラビリンス部材４２により検煙空間Ａに煙は流入するものの外光は入射しないようになっている。従って、火災等により生じた煙は煙検出部１６の煙流入口Ｂを介して検煙空間Ａに流入することができ、発光素子４１からの光の散乱光を受光素子４２で受光して、受光出力が所定煙濃度以上を示す値になれば火災警報をすることができる。なお、煙流入口Ｂの外周には、虫や埃等の流入を防止するための防虫網（図示せず）が設けられている。
【００１９】
以上のような構成の火災警報器は、設置面Ｍに取付ベース２１を螺着などにより取り付け、警報器本体１を取付ベース２１にあてがって、ついで、警報器本体１を周方向に回転させて刃部（図示せず）を取付ベース２１の刃受部（図示せず）に係止させて、取付ベース２１に装着することで設置面Ｍに固定される。
【００２０】
つぎに、この火災警報器の回路構成について説明する。図５は火災警報器の構成を示すブロック図、図６は火災警報器の動作を示すフローチャート、図７は図６の掃除告知判定処理の動作を示すフローチャートである。
【００２１】
図５において、５０は火災警報器を構成する各部に電源を供給する電池、５１はタイマ回路６０と記憶部６１とを有し、火災警報器全体を制御する制御部、５２は電池５１から電源供給されて制御部５１等に定電圧を供給する定電圧回路、５３は発光素子４０と発光回路５４とを有し、制御部５１からの発光制御命令を受けて発光回路５４が発光素子４０を発光させて検煙空間Ａに向けて光を照射する発光部、５６は受光素子４１と増幅回路５５とを有し、検煙空間Ａに煙が流入することによって生じる散乱光を受光素子４１で受光し、その受光出力を増幅回路５５で増幅して制御部５１に出力する受光部である。
【００２２】
また、５７は表示灯、５８は制御部５１からの各種の点灯制御命令を受けて表示灯５７に対応する点灯動作を行わせる表示灯回路、１７は音響部としての前述のスピーカ、５９は制御部５１からの各種の発音制御命令を受けてスピーカ１７から対応する音響を出力させる音声合成回路、１８は前述の音響停止スイッチ、６は前述の設置面設定スイッチとしてのリードスイッチであり、図２に示されるように、リードスイッチ６から磁石３５が離れた場合には、接点６ａが開いたオフ状態となることによって、設置面として壁面が設定され、一方、図３に示すように、リードスイッチ６に磁石３５が近接した場合には、接点６ａが閉じたオン状態となることによって、設置面として天井面が設定される。
【００２３】
なお、発光部５３および受光部５６は図２の煙検出部１６を構成し、また、制御部５１、定電圧回路５２、表示灯５７、表示灯回路５８、および音声合成回路５９は回路基板５に搭載されている。そして、電池５０は、例えば図２の警報器本体１内に収納されている。
【００２４】
なお、音響部１７は、煙検出部１６の掃除告知警報を行う掃除告知警報手段の一例である。また、制御部５１は、設置面設定スイッチ６の設定状態に基づいて、掃除告知手段の掃除告知警報の告知仕様を可変設定する制御手段の一例であり、また、設置面Ｍが壁面の設定の場合は、天井面の設定の場合よりも掃除告知警報の告知間隔を短くするか、または、設置面Ｍが壁面の設定の場合は、掃除告知警報を行う一方、天井面の設定の場合は掃除告知警報を行わない制御手段の一例である。
【００２５】
つぎに、図６のフローチャートに先立って、制御部５１による掃除告知判定処理（図７）の特徴について説明する。前述したように、火災警報器は煙検出部１６が筐体Ｋの前面から突出して設けられる構成のため、設置面Ｍが天井面または壁面のいずれであっても煙流入口Ｂに若干の埃等が堆積する。特に壁面に取り付けて長時間使用すると、煙流入口Ｂの上部に埃等が堆積し、この埃によって煙検出部１６内への煙の流入性が低下してしまう。そのため、設置面設定スイッチ６の設定状態に基づいて、煙検出部１６の掃除告知警報の告知仕様を可変設定している。具体的には、設置面Ｍが天井面の設定の場合は警報間隔を例えば６ヶ月に設定し、一方、設置面Ｍが壁面の設定の場合は掃除告知警報の警報間隔を例えば１ヶ月に設定して、設置面Ｍが壁面の設定の場合は、天井面の設定の場合よりも掃除告知警報の警報間隔を短くする設定することによって、設置状況に合わせて、ユーザに定期的な煙検出部１６の掃除を促すようにしている。なお、火災警報器を天井面に設置した場合は、煙流入口Ｂに若干の埃等が堆積したとしても、そのほとんどは横向きの気流などによってすぐに落下するので、設置面Ｍが壁面の設定の場合は、掃除告知警報を行う一方、天井面の設定の場合は掃除告知警報を行わないようにしてもよい。
【００２６】
図６は火災警報器の動作を示すフローチャートである。まず、詳細には説明しないが、電池５０のコネクタ（図示せず）が回路基板５のコネクタ（図示せず）に接続されることによって、電源がオンされると（S１）、タイマ回路６０がカウントするタイマカウントをリセットするなどの各種の初期設定を行ってから（S２）、後述する掃除告知判定処理を行い（Ｓ３）、つぎに火災判定処理を行う（Ｓ４）。火災判定処理としては、詳細には説明しないが、制御部５１からの発光制御命令を受けて発光回路５４が発光素子４０を発光させて検煙空間Ａに向けて光を照射し、また、検煙空間Ａに煙が流入することによって生じる散乱光を受光素子４１が受光し、その受光出力を増幅回路５５で増幅して制御部５１に出力し、制御部５１は受光増幅出力が所定煙濃度以上を示す値になっているかどうかを判別することによって、火災かどうかを判定する。
【００２７】
そして、火災であれば（Ｓ５）、例えば、「火事です  火事です。」などの火災警報音を音響部１７から出力させたり、表示灯５７を点灯させるなどの火災警報処理を行い（Ｓ６）、一方、火災でなければ（Ｓ５）、火災警報停止処理を行い（Ｓ７）、ステップＳ３へ戻る。火災警報停止処理としては、音響部１７の警報音停止状態、表示灯５７の無点灯状態である初期状態を維持する処理である。
【００２８】
つぎに、音響停止スイッチ１８のスイッチ状態判定処理を行い、音響停止スイッチ１８がオンされると（Ｓ８）、音響部１７を警報音停止状態とする火災警報音停止処理を行ってから（Ｓ９）、または、音響停止スイッチ１８がオフであれば（Ｓ８）、ステップＳ３へ戻り、以降、ステップＳ３〜Ｓ９の動作を繰り返す。
【００２９】
図７は図６の掃除告知判定処理（Ｓ３）の詳細を示すフローチャートである。まず、設定面設定スイッチ６の設定状態を読み込み、設定面設定スイッチ６がオンされていれば（Ｓ３１）、設置面Ｍとして天井面が設定されているので、掃除告知警報の告知タイミングとして例えば６ヶ月を記憶部６１に格納することによって、掃除告知警報の告知タイミング（警報間隔）を設定し（Ｓ３２）、一方、設定面設定スイッチ６がオフであれば（Ｓ３１）、設置面Ｍとして壁面が設定されているので、掃除告知警報の告知タイミングとして例えば１ヶ月を記憶部６１に格納することによって、掃除告知警報の告知タイミングを設定する（Ｓ３３）。
【００３０】
つぎに、タイマ回路６０がタイマカウントを行ってから（Ｓ３４）、掃除告知警報の告知タイミングが到来したがどうかを判定する（Ｓ３５）。つまり、タイマ回路６０のタイマカウントが記憶部６１に格納した告知タイミング以上を経過した場合は、告知タイミングが到来したとして（Ｓ３５）、例えば、「煙検出部１６の掃除時期になりました。煙流入口Ｂ付近の埃を取り払ってください。」などの掃除告知警報音を音響部１７から出力させたり、表示灯５７を点滅させるなどの掃除告知警報処理を行い（Ｓ３６）、一方、タイマ回路６０のタイマカウントが記憶部６１に格納した告知タイミング以上を経過していなければ、告知タイミングが到来していないとして（Ｓ３５）、掃除告知警報処理を行わない。
【００３１】
そして、音響停止スイッチ１８のスイッチ状態判定処理を行い、音響停止スイッチ１８がオンされると（Ｓ３７）、音響部１７を警報音停止状態とし、また、表示灯５７を消灯状態とする掃除告知警報停止処理を行ってから（Ｓ３８）、タイマ回路６０のタイマカウントをリセットし（Ｓ３９）、また、音響停止スイッチ１８がオフであれば（Ｓ３７）、掃除告知判定処理を終了する。
【００３２】
以上の通り、煙検出部１６が筐体Ｋの前面から突出して設けられる火災警報器は、火災警報器の設置面Ｍとして天井面または壁面を設定する設置面設定スイッチ６と、煙検出部１６の掃除告知警報を行う掃除告知警報手段用の音響部１７と、設置面設定スイッチ６の設定状態に基づいて、掃除告知手段の掃除告知警報の告知仕様を可変設定する制御部５１と、を備えることによって、火災警報器が取り付けられる設置面に応じて、掃除警報告知手段の掃除告知警報の告知仕様を設定して、煙検出部１６の掃除告知警報を行わせることができる。具体的には、火災警報器を壁面に取り付ける際には、煙検出部１６の煙流入口Ｂに埃が堆積しやすく、一方、火災警報器を天井面に取り付ける際には、煙検出部１６の煙流入口Ｂに埃が堆積しにくい、という傾向があることから、取り付けられた設置面Ｍに応じて、例えば、掃除告知警報の頻度を異ならせることによって、設置状況に合わせて、ユーザに定期的な煙検出部１６の掃除を促すことにより、ユーザに必要以上の手間をかけさせることなく、定期的な煙検出部１６の掃除を行ってもらうことができる。これによって、ユーザに必要以上の手間をかけさせることなく、煙検出部１６の煙流入口Ｂに埃が堆積することを防止することが可能になるため、特に壁面に取り付けたとしても煙の流入性の低下を防止して長時間にわたる正確な煙検出が可能になる。
【００３３】
また、設置面設置スイッチ６は、火災警報器が天井面または壁面に取り付けられたことを自動検出する、例えばリードスイッチとすることによって、ユーザが設置面Ｍの設定操作を行うことなく、火災警報器が取り付けられた設置面Ｍを自動的に検出して、この検出した設置面Ｍに応じて、掃除警報告知手段の掃除告知警報の告知仕様を設定して、煙検出部１６の掃除告知警報を行わせることができる。
【００３４】
また、制御部５１は、設置面Ｍが壁面の設定の場合は、天井面の設定の場合よりも掃除告知警報の告知間隔を短くするか、または、前記設置面が壁面の設定の場合は、掃除告知警報を行う一方、天井面の設定の場合は掃除告知警報を行わない、ことによって、制御部５１は、火災警報器が壁面に取り付けられている場合と天井面に取り付けられている場合とで、掃除告知警報の頻度を異ならせることが可能になるため、設置状況に合わせて、ユーザに定期的な煙検出部１６の掃除を行わせることができる。特に、火災警報器を壁面に取り付けた際には、頻繁に掃除告知警報を行うことが可能となる。
【図面の簡単な説明】
【００３５】
【図１】本発明の実施例１を示す火災警報器の正面図。
【図２】図１のＡ−Ａ断面図であり、火災警報器を壁面に取り付けた状態を示す図。
【図３】図１のＡ−Ａ断面図であり、火災警報器を天井面に取り付けた状態を示す図。
【図４】煙検出部の内部構造を示す図。
【図５】図１の火災警報器の構成を示すブロック図。
【図６】図５の火災警報器の動作を示すフローチャート。
【図７】図６の掃除告知判定処理の詳細を示すフローチャート。
【符号の説明】
【００３６】
１  警報器本体、２  本体部、３  基板、４  周壁、５  回路基板、６  設置面設定スイッチ、６ａ  接点、１１  保護カバー、１２  前面壁、１３  周壁、１４  音響孔、１５  押し釦、１６  煙検出部、１７  音響部（掃除告知警報手段）、１８  音響停止スイッチ、２１  取付ベース、２２  基板、２３  周壁、３０  漏斗部材（設定面自動検出機構）、３１  傾斜壁、３２  包囲壁、３５  磁石（設定面自動検出機構）、４０  発光素子、４１  受光素子、４２  ラビリンス部材、５０電池、５１  制御部（制御手段）、５２  定電圧回路、５３  発光部、５４  発光回路、５５  増幅回路、５６  受光部、５７  表示灯、５８  表示灯回路、５９  音声合成回路、６０  タイマ回路、６１  記憶部、Ａ  検煙空間、Ｂ  煙流入口、Ｋ  筐体、Ｍ  設置面。
【図１】
2009245260.tif 000003
【図２】
2009245260.tif 000004
【図３】
2009245260.tif 000005
【図４】
2009245260.tif 000006
【図５】
2009245260.tif 000007
【図６】
2009245260.tif 000008
【図７】
2009245260.tif 000009